Podtech/llm-jp-corpus-v4-ja_patent huggingface dataset:
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
複合しているリン脂質対ヒアルロン酸の質量比が０．４７３３〜０．５である、ヒアルロン酸−リン脂質複合体。
【請求項２】
前記ヒアルロン酸がヒアルロン酸又はその生理的に許容可能な塩である、請求項１に記載のヒアルロン酸−リン脂質複合体。
【請求項３】
前記リン脂質が、ホスファチジン酸、ホスファチジルクロリン、ホスファチジルエタノールアミン、ホスファチジルセリン、Ｎ−メチルエタノールアミングリセロールリン酸、Ｎ，Ｎ−ジメチルエタノールアミングリセロールリン酸、Ｎ−アシルエタノールアミングリセロールリン酸、Ｎ−２（ヒドロキシエチル）アラニンホスファチジルグリセリド、ビホスファチジルグリセリド、グリセロールリン酸、グルコサミングリセロールリン酸グリセリド、Ｏ−アミノ酸リン脂質グリセリド、ホスファチジルイノシトール、ホスファチジルイノシトールリン酸、ホスファチジルイノシトール二リン酸、ホスホイノシトール三リン酸、ホスファチジルグルコース、ジグルコースグリセロールホスファチジン酸、スフィンゴシル糖脂質、グリセリル糖脂質、セレブロシド、ガングリオシド、モノグリコシルセレブロシド、スフィンゴミエリン、ジパルミトイルホスファチジルコリンとジパルミトイルホスファチジルエタノールアミンを含む合成リン脂質、リゾリン脂質からなる群から選択される１種又は複数である、請求項１に記載のヒアルロン酸−リン脂質複合体。
【請求項４】
請求項１から３までのいずれか一項に記載のヒアルロン酸−リン脂質複合体と、場合により他の活性成分又は栄養補給剤とを含む組成物。
【請求項５】
前記他の活性成分又は栄養補給剤が、アミノ酸、核酸、タンパク質、多糖類、セルロース、酵素、微量要素、多量要素、ビタミン、性ホルモン、植物ホルモン、多価不飽和脂肪酸、プロバイオティクス及び漢方薬からなる群から選択される、請求項４に記載の組成物。
【請求項６】
経口製剤であり、製剤１ｇ又は１ｍｌに対して、０．０１〜０．５ｇの量でヒアルロン酸−リン脂質複合体を含む、請求項４に記載の組成物。
【請求項７】
請求項１に記載のヒアルロン酸−リン脂質複合体を調製する方法であって、ヒアルロン酸とリン脂質とを１：３〜１：１０の無難な比で用意するステップ、粉末又は水溶液形態のヒアルロン酸又はカルボジイミド活性化ヒアルロン酸をリン脂質の水性分散液と十分に混合するステップ、及び一定温度で撹拌して前記複合体を得るステップを含む方法。
【請求項８】
リン脂質の水性分散液が、リポソームの作製法により、又は機械撹拌、渦流混合及び超音波処理からなる群から選択される１種若しくは複数の方法を用いるリン脂質の直接水和により得られる、請求項７に記載の方法。
【請求項９】
反応温度が２８〜４５℃であり、反応時間が２〜４８時間であることを特徴とする、請求項７に記載の方法。
【請求項１０】
ヒアルロン酸のための溶媒及びリン脂質のための水性分散媒体が、生理食塩水又はリン酸緩衝液であることを特徴とする、請求項７に記載の方法。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
ナノ粒子（４０）を有する層（１１０）を基板（１００）上に製造するための方法であって、
第１プロセス室（１０）内でナノ粒子（４０）を遊離され、ナノ粒子流（５０）を生成させ、
ナノ粒子流（５０）を第２プロセス室（８０）内に誘導され、
この粒子流を横方向に、第２プロセス室（８０）内のナノ基板（１００）の表面（１２０）上に平行に誘導され、
このように方向付けられたナノ粒子流でナノ粒子（４０）を第２プロセス室（８０）内で基板（１００）上に堆積させる方法において、
第２プロセス室内で基板上に付加的に少なくとも１つの他の材料が堆積され、この材料と前記ナノ粒子とで、前記ナノ粒子を含む層を形成し、
前記他の材料を材料流（１５０）の態様で基板（１００）の表面（１２０）に誘導し、
この材料流（１５０）が、基板（１００）の表面に直角に衝突するように向けることを特徴とする方法。
【請求項２】
ナノ粒子（４０）を第１プロセス室（１０）の内部で外部電磁場（２００）によって第２プロセス室内にある基板（１００）の表面（１２０）と平行に加速させ、かつナノ粒子流（５０）の形成下に第２プロセス室の方向に動かすことを特徴とする請求項１記載の方法。
【請求項３】
ナノ粒子流を形成すべく第１プロセス室内でキャリヤガス（２０）をナノ粒子（４０）で富化し、
ナノ粒子で富化したキャリヤガスを第２プロセス室（８０）内に誘導することを特徴とする請求項１又は２に記載の方法。
【請求項４】
ナノ粒子で富化したキャリヤガスを第１プロセス室から絞り機構（７０）を介して第２プロセス室内に誘導し、
第２プロセス室内へのキャリヤガスのガス流を絞り機構で調整することを特徴とする請求項３記載の方法。
【請求項５】
第２プロセス室内部でのナノ粒子の堆積速度を絞り機構で調整することを特徴とする請求項４記載の方法。
【請求項６】
第２プロセス室を第１プロセス室よりも低い圧力（Ｐ２）に調整することを特徴とする請求項１から５の１つに記載の方法。
【請求項７】
第１プロセス室として噴散セル（１０）を使用し、この噴散セル内でナノ粒子流を生成させることを特徴とする請求項１から６の１つに記載の方法。
【請求項８】
ナノ粒子としてナノクラスタ又はナノ結晶子を基板上に堆積させることを特徴とする請求項１から７の１つに記載の方法。
【請求項９】
ナノ粒子を有する層を基板上に形成するための装置であって、
ナノ粒子（４０）を遊離させかつナノ粒子流（５０）を生成するのに適した第１プロセス室（１０）を備え、
この第１プロセス室（１０）に第２プロセス室（８０）が連通しており、この第２プロセス室内にナノ粒子流（５０）を誘導し、第２プロセス室内でこのナノ粒子を基板（１００）上に堆積させる装置において、
ナノ粒子流が横方向に、基板（１００）の表面（１２０）上を平行に流れ、かつこのように方向付けられたナノ粒子流でナノ粒子（４０）が基板の表面上に堆積するように、第２プロセス室の第１入口穴（Ａ８０）を配置し、
第２プロセス室が、少なくとも１つの他の材料を導入するための第２入口穴（Ｂ８０）を有し、前記材料が基板上に堆積し、かつ前記ナノ粒子と共に前記ナノ粒子を有する層を形成し、
前記他の材料が、材料流（１５０）の態様で基板（１００）の表面に直角に衝突するように、第２入口穴（Ａ８０）を配置したことを特徴とする装置。
【請求項１０】
第１プロセス室内で遊離したナノ粒子を、外部電磁場（２００）によって第２プロセス室内にある基板（１００）の表面（１２０）と平行に加速し、かつナノ粒子流（５０）の形成下に第２プロセス室の方向に動かすべく、第１プロセス室の内部又は表面に電磁機構（２００）を配置したことを特徴とする請求項９記載の装置。
【請求項１１】
第１プロセス室が、噴散セル（１０）により形成したことを特徴とする請求項９または１０記載の装置。
【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
超伝導装置を冷却するためのシステムであって、
前記装置に結合されかつ該装置に冷凍剤を供給するように構成された冷凍剤冷却システムと、
前記装置に冷凍剤を供給するように構成された冷凍剤貯蔵システムと、
選択的に前記装置から前記冷凍剤冷却システムを隔離しまた前記冷凍剤貯蔵システムから該装置に冷凍剤の流れを導くように構成された流れ制御弁装置と、
を含むシステム。
【請求項２】
前記冷凍剤冷却システムが、前記冷凍剤貯蔵システムにまた該冷凍剤貯蔵システムを介して前記装置に冷凍剤を供給し、
前記流れ制御弁装置が、前記冷凍剤貯蔵システムから前記冷凍剤冷却システムを隔離する、
請求項１記載のシステム。
【請求項３】
前記装置の回転シャフトの周りに半径方向に配置された冷凍剤移送継手をさらに含み、
前記冷凍剤移送継手が、前記流れ制御弁装置から前記装置に冷凍剤を導くように作動可能である、
請求項１記載のシステム。
【請求項４】
前記装置が前記冷凍剤冷却システムから隔離されている時に、該装置で発生した蒸気を排出するようになった通気弁をさらに含む、請求項１記載のシステム。
【請求項５】
前記冷凍剤貯蔵システムが、前記冷凍剤冷却システムから冷凍剤を受けるように構成可能である、請求項１記載のシステム。
【請求項６】
超伝導装置を冷却するためのシステムであって、
冷凍剤を供給して前記装置を冷却するように構成された冷凍剤液化装置と、
前記冷凍剤液化装置から冷凍剤を受けるように構成された冷凍剤貯蔵システムと、
選択的に前記装置から前記冷凍剤液化装置及び冷凍剤貯蔵システムを隔離しまた前記冷凍剤液化装置及び冷凍剤貯蔵システムを該装置と流体連通状態に置いて、前記冷凍剤液化装置又は冷凍剤貯蔵システムから該装置に冷凍剤の流れを導くように構成された流れ制御弁装置と、
を含むシステム。
【請求項７】
前記装置の回転シャフトの周りに半径方向に配置された冷凍剤移送継手をさらに含み、
前記冷凍剤移送継手が、前記装置に冷凍剤の流れを導くように作動可能である、
請求項６記載のシステム。
【請求項８】
超伝導装置を冷却するためのシステムであって、
前記装置に冷凍剤を供給するように構成された極低温冷凍装置と、
冷凍剤を貯えるように構成された冷凍剤貯蔵システムと、
選択的に前記装置から前記極低温冷凍装置を隔離しまた前記冷凍剤貯蔵システムを該装置と流体連通状態に置いて、前記冷凍剤貯蔵システムから該装置に冷凍剤を導くように構成された流れ制御弁装置と、
を含むシステム。
【請求項９】
超伝導装置を連続的に冷却する方法であって、
冷凍剤冷却システムを介して供給された冷凍剤で前記装置を冷却する段階と、
前記冷凍剤冷却システムから前記装置を隔離しかつ前記冷凍剤貯蔵システムに該装置を結合する段階と、
を含む方法。
【請求項１０】
前記冷凍剤貯蔵システムが、前記冷凍剤冷却システムから冷凍剤を受けるように構成可能である、請求項１０記載の方法。
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
キメラタンパク質であって、ＰｉｌＡの一部分およびＬＢ１ペプチドの一部分を含む、キメラタンパク質。
【請求項２】
前記ＬＢ１ペプチドの一部分が、ＬＢ１ペプチドのＢ細胞エピトープを含む、請求項１に記載のキメラタンパク質。
【請求項３】
前記ＬＢ１ペプチドの一部分が、配列番号４、配列番号５、配列番号６、配列番号７または配列番号８のアミノ酸配列を含む、請求項２に記載のキメラタンパク質。
【請求項４】
配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４、配列番号２５、配列番号２６、配列番号２７、配列番号２８、配列番号２９、配列番号３０、配列番号３１、配列番号３２、配列番号５４、配列番号５５、配列番号５６または配列番号５７のアミノ酸配列を含む、請求項１に記載のキメラタンパク質。
【請求項５】
請求項１〜４のいずれか１項に記載のキメラタンパク質をコードする、ポリヌクレオチド。
【請求項６】
請求項５に記載のポリヌクレオチドを含む、ベクター。
【請求項７】
請求項１〜４のいずれか１項に記載のキメラタンパク質および薬学的に受容可能なキャリアを含む、組成物。
【請求項８】
請求項１〜４のいずれか１項に記載のキメラタンパク質に特異的に結合する、抗体。
【請求項９】
請求項８に記載の抗体および薬学的に受容可能なキャリアを含む、組成物。
【請求項１０】
ＮＴＨｉ細菌感染の危険性がある患者においてＮＴＨｉ細菌に対する免疫応答を惹起するための組成物であって、免疫原性用量の請求項１〜４のいずれか１項に記載の１以上のキメラタンパク質を含む、組成物。
【請求項１１】
前記ＮＴＨｉ感染が、中耳においてである、請求項１０に記載の組成物。
【請求項１２】
ＮＴＨｉ細菌感染を処置または予防するための組成物であって、請求項８に記載の抗体を含む、組成物。
【請求項１３】
前記ＮＴＨｉ感染が、中耳においてである、請求項１２に記載の組成物。
【請求項１４】
ＮＴＨｉ細菌感染の危険性がある患者においてＮＴＨｉ細菌に対する免疫応答を惹起するための医薬の製造における、請求項１〜４のいずれか１項に記載の１以上のキメラタンパク質の使用。
【請求項１５】
前記ＮＴＨｉ感染が、中耳においてである、請求項１４に記載の使用。
【請求項１６】
ＮＴＨｉ細菌感染を処置または予防するための医薬の製造における、請求項８に記載の抗体の使用。
【請求項１７】
前記ＮＴＨｉ感染が、中耳においてである、請求項１６に記載の使用。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
マイクロカプセルを備える食料品であって、前記マイクロカプセルが、個々が一次シェルを有する一次マイクロカプセルの凝集体と、充填物質とを含み、前記充填物質が前記一次シェルによってカプセル化され、前記凝集体が外側シェルによってカプセル化されている食料品。
【請求項２】
前記一次シェル、前記外側シェルまたは前記一次および外側シェルの両方が、界面活性剤、ゼラチン、ポリリン酸塩、多糖またはこれらの混合物を含む、請求項１に記載の食料品。
【請求項３】
前記一次シェル、前記外側シェルまたは前記一次および外側シェルの両方が、タイプＡゼラチン、タイプＢゼラチン、ポリリン酸塩、アラビアゴム、アルギン酸塩、キトサン、カラギナン、ペクチン、でんぷん、加工でんぷん、アルファ−ラクトアルブミン、ベータ−ラクトグロブミン、オボアルブミン、ポリソルビタン、マルトデキストリン、シクロデキストリン、セルロース、メチルセルロース、エチルセルロース、ヒドロプロピルメチルセルロース、カルボキシメチルセルロース、乳タンパク質、乳漿タンパク、大豆タンパク、カノーラタンパク、アルブミン、コーシャゼラチン、非コーシャゼラチン、ハラールゼラチン、非ハラールゼラチンまたはこれらの混合物を含む、請求項１または請求項２に記載の食料品。
【請求項４】
前記一次シェル、前記外側シェルまたは前記一次および外側シェルの両方が魚ゼラチンまたはブタゼラチンを含む、請求項１−３のいずれかに記載の食料品。
【請求項５】
前記一次シェル、前記外側シェルまたは前記一次および外側シェルの両方が、約０、約２１０、約２２０または約２４０のブルーム強度を有するゼラチンを含む、請求項１−４のいずれかに記載の食料品。
【請求項６】
前記一次シェル、前記外側シェルまたは前記一次および外側シェルの両方がコアセルベート錯体を含む、請求項１−５のいずれかに記載の食料品。
【請求項７】
前記コアセルベート錯体が、ゼラチンとポリリン酸塩とのコアセルベート錯体である、請求項６に記載の食料品。
【請求項８】
前記充填物質が、微生物油、藻類油、真菌油および植物油から選択される１種または複数種の油を含む、請求項１−７のいずれかに記載の食料品。
【請求項９】
前記充填物質が魚油を含む、請求項１−８のいずれかに記載の食料品。
【請求項１０】
前記魚油が、大西洋の魚の油、太平洋の魚の油、地中海の魚の油、軽く加圧した魚の油、アルカリで処理した魚の油、加熱処理した魚の油、軽重の茶色い魚の油、カツオ油、ピルチャード油、マグロ油、シーバス油、オヒョウ油、フウライカジキ油、バラクーダ油、タラ油、メンハーデン油、イワシ油、アンチョビ油、カラフトシシャモ油、大西洋タラの油、大西洋ニシンの油、大西洋サバの油、大西洋メンハーデン油、サケ科の魚の油またはサメ油を含む、請求項９に記載の食料品。
【請求項１１】
前記充填物質が、オメガ３脂肪酸、オメガ３脂肪酸エステルおよび／またはこれらの混合物を含む、請求項１−１０のいずれかに記載の食料品。
【請求項１２】
前記オメガ３脂肪酸エステルが、オメガ３脂肪酸のアルキルエステル、オメガ３脂肪酸のモノグリセリド、オメガ３脂肪酸のジグリセリド、オメガ３脂肪酸トリグリセリドエステル、オメガ３脂肪酸の植物ステロールエステル、オメガ３脂肪酸のエステルおよび酸化防止剤、オメガ３脂肪酸のフラノイドエステル、ならびに／またはこれらの混合物を含む、請求項１１に記載の食料品。
【請求項１３】
前記充填物質が、ドコサヘキサエン酸および／またはエイコサペンタエン酸、そのＣ１〜Ｃ６アルキルエステル、そのトリグリセリドエステル、その植物ステロールエステル、ならびに／あるいはこれらの混合物を含む、請求項１−１２のいずれかに記載の食料品。
【請求項１４】
前記マイクロカプセルが、
ａ．前記第１のポリマー成分および前記充填物質を含むエマルジョンを提供すること、
ｂ．前記エマルジョンに前記第２のポリマー成分を添加すること、
ｃ．ｐＨ、温度、濃度、混合速度またはこれらの組合せを調整して、前記第１および第２のポリマー成分を含み、かつ前記充填物質を取り囲む一次シェル材料を含む水性混合物を形成すること、
ｄ．前記一次シェル材料が凝集体を形成するまで、前記一次シェル材料のゲル化温度より高い温度に前記水性混合物を冷却すること、ならびに
ｅ．前記水性混合物をさらに冷却して、前記凝集体の周りに外側シェルを形成すること
を含む方法によって調製される、請求項１に記載の食料品。
【請求項１５】
前記エマルジョンおよび／または前記水性混合物に酸化防止剤が添加され、酸化防止剤が、アスコルビン酸、クエン酸またはこれらの塩を含む、請求項１４に記載の食料品。
【請求項１６】
冷却が、約１℃／５分の速度で行われる、請求項１４または請求項１５に記載の食料品。
【請求項１７】
前記混合物が、約５℃〜約１０℃の温度に達するまで冷却される、請求項１４−１６のいずれかに記載の食料品。
【請求項１８】
架橋剤を添加して前記シェル材料を架橋する工程（ｅ）をさらに含む、請求項１４−１７のいずれかに記載の食料品。
【請求項１９】
前記架橋剤が酵素架橋剤、アルデヒド、タンニン酸、ミョウバンまたはこれらの混合物である、請求項１８に記載の食料品。
【請求項２０】
前記架橋剤がグルテルアルデヒドである、請求項１８に記載の食料品。
【請求項２１】
前記架橋剤がトランスグルタミナーゼである、請求項１８に記載の食料品。
【請求項２２】
前記マイクロカプセルを乾燥させる工程（ｆ）をさらに含む、請求項１４−２１のいずれかに記載の食料品。
【請求項２３】
前記マイクロカプセルが噴霧乾燥される、請求項２２に記載の食料品。
【請求項２４】
湿性スープ、脱水および調理された食品、飲料、冷凍食品、調味料、アップルソース、離乳食、パン粉をまぶした肉、低温殺菌プロセスチーズ食品、グラノーラバー、シリアルバー、パン、シリアル、ワッフル、豆乳、グミキャンディ、パスタ、パスタソース、トマトソース、オレンジジュース、スナック食品、ポテトチップ、コーンチップまたはトルティーヤチップである、請求項１−２３のいずれかに記載の食料品。
【請求項２５】
プロバイオティクスをさらに含む、請求項１−２４のいずれかに記載の食料品。
【請求項２６】
マイクロカプセルを含む食料品であって、前記マイクロカプセルがオメガ３油を含む食料品。
【請求項２７】
前記オメガ３油が、ドコサヘキサエン酸および／またはエイコサペンタエン酸、そのＣ１〜Ｃ６アルキルエステル、そのトリグリセリドエステル、その植物ステロールエステル、ならびに／あるいはこれらの混合物である、請求項２６に記載の食料品。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
以下を含む時間変動する電磁気力スリーブ、
ａ.  導電性部と実質的に剛体であるコイル支持材を含むコイルであって、該導電性部が該コイル支持材に組み込まれており、且つ、該コイルが哺乳動物の体の一部を取り外し可能に支えるスペースを決める内部を有するもの；及び
ｂ.  該コイルに動作可能なように接続した時間変動する電磁気力源。
【請求項２】
以下を含む時間変動する電磁気力スリーブ：
ａ.  導電性部とコイル支持材とを有するコイルであって、該導電性部が該コイル支持材上の銀のオーバーレイであり、該コイルが哺乳動物の体の一部を取り外し可能に支えるスペースを決める内部を有するもの、及び
ｂ.  該コイルに動作可能なように接続した時間変動する電磁気力源。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
瞳孔を有する目の老視を治療する装置であって、
出力に接続された処方生成器モジュールを含み、目が瞳孔を横切って誘導された負の球面収差を有するように、前記処方生成器モジュールが目の高次の負の球面収差の老視緩和量を定義し、前記出力はレンズ製造または目矯正アセンブリと通信するように構成される、
ことを特徴とする装置。
【請求項２】
前記処方生成器は入力を有し、さらに、
目の感知された収差に対応する複数の屈折ゼルニケ係数を生成する、前記処方生成器の前記入力に接続された波面システムと、
目の角膜の方向へレーザエネルギーのパターンを向けることにより、目に処方を施すための切除レーザビームを含む、レンズ製造または目矯正アセンブリと、
を含み、
前記処方生成器は、前記屈折ゼルニケ係数を少なくともひとつの老視緩和ゼルニケ係数と組み合わせ、前記少なくともひとつの老視緩和ゼルニケ係数は球面収差の老視緩和量に対応する少なくともひとつの高次ゼルニケ係数を含み、瞳孔を横切って約０．１から約０．３ミクロンの負の球面収差を目に与えるようにする、
ことを特徴とする請求項１記載の装置。
【請求項３】
前記処方生成器モジュールは、レンズが目に挿入されたとき目の光学を変化させるように適応された眼内レンズを同定し、変化した目は瞳孔を横切って誘導された負の球面収差を有し、前記出力は、目に同定された眼内レンズを与えるように眼内レンズソースと通信するよう構成されている、
ことを特徴とする請求項１記載の装置。
【請求項４】
前記処方生成器は前記屈折ゼルニケ係数を少なくともひとつの老視緩和ゼルニケ係数と組み合わせ、前記少なくともひとつの老視緩和ゼルニケ係数は球面収差の老視緩和量に対応する少なくともひとつの高次ゼルニケ係数を含み、瞳孔を横切って約０．１から約０．３ミクロンの負の球面収差を目に与えるようにする、
ことを特徴とする請求項３記載の装置。
【請求項５】
さらに、眼内レンズを製造するための眼内レンズ製造装置を含む、
ことを特徴とする請求項３記載の装置。
【請求項６】
変更された目が、瞳孔を横切って誘導された負の球面収差を有するように、前記処方生成器モジュールはレーザ誘導変更を同定し、前記出力がレーザ眼科手術アセンブリと通信するように構成されている、
ことを特徴とする請求項１記載の装置。
【請求項７】
前記レーザ眼科手術アセンブリは、赤外線レーザ、紫外線レーザ、フェムト秒レーザ、波長多重固体レーザの少なくともひとつを含む、
ことを特徴とする請求項６記載の装置。
【請求項８】
前記処方生成器は屈折ゼルニケ係数を少なくともひとつの老視緩和ゼルニケ係数と組み合わせ、前記少なくともひとつの老視緩和ゼルニケ係数は球面収差の老視緩和量に対応する少なくともひとつの高次ゼルニケ係数を含み、瞳孔を横切って約０．１から約０．３ミクロンの負の球面収差を目に与えるようにする、
ことを特徴とする請求項７記載の装置。
【請求項９】
前記目のレーザ誘導変更は、角膜の切開を含む、
ことを特徴とする請求項６記載の装置。
【請求項１０】
角膜が矯正される際、患者の視覚系において老視を緩和するように角膜の光学矯正を同定するための装置であって、
目の収差を感知するための収差計と、
前記収差計と接続されるコンピュータであって、目の高次の負の球面収差の老視緩和量を誘導するように目の感知された収差から屈折処方を決定するように構成され、光学的に矯正された角膜を有する目は、角膜と網膜との間の平面に、目から視覚的距離にある点源の像を形成し、前記像は周辺強度を有する周辺領域によって包囲された中央強度を有する中央領域を有し、前記中央強度は前記周辺強度より高いところのコンピュータと、
を含むことを特徴とする装置。
【請求項１１】
前記屈折処方は角膜の光学矯正を含む、
ことを特徴とする請求項１０記載の装置。
【請求項１２】
さらに、前記角膜の光学矯正を達成するためのレーザ眼科手術アセンブリを含み、前記レーザ眼科手術アセンブリは、赤外線レーザ、紫外線レーザ、フェムト秒レーザ、及び波長多重固体レーザの少なくともひとつを含む、
ことを特徴とする請求項１１記載の装置。
【請求項１３】
前記角膜のレーザ誘導矯正は角膜の切開を含む、
ことを特徴とする請求項１２記載の装置。
【請求項１４】
前記収差計は、目の感知された収差に対応する複数の屈折ゼルニケ係数を生成するための波面システムを含み、前記コンピュータは、プロセッサ、及び複数のゼルニケ係数から屈折処方を決定するための、及び前記屈折処方に従って眼内レンズを同定するための前記プロセッサにより実行可能な命令を含むコンピュータ読み取り可能媒体を含み、目の中への眼内レンズの挿入は瞳孔を横切って目に負の球面収差の老視緩和量を誘導する、
ことを特徴とする請求項１０記載の装置。
【請求項１５】
誘導された前記球面収差は、瞳孔を横切って約０．０５から約０．４ミクロンの範囲の負の球面収差である、
ことを特徴とする請求項１０記載の装置。
【請求項１６】
誘導された前記球面収差は、瞳孔を横切って約０．１から約０．３ミクロンの範囲の負の球面収差である、
ことを特徴とする請求項１０記載の装置。
【請求項１７】
誘導された前記球面収差は、瞳孔を横切って約０．１５から約０．２５ミクロンの範囲の負の球面収差である、
ことを特徴とする請求項１６記載の装置。
【請求項１８】
誘導された前記球面収差は、瞳孔を横切って半径方向に対称な負の非球面を有する、
ことを特徴とする請求項１６記載の装置。
【請求項１９】
さらに、前記出力に接続された、眼内レンズを製造するための眼内レンズ製造装置を含む、
ことを特徴とする請求項１０記載の装置。
【請求項２０】
さらに、前記出力に接続された目矯正アセンブリを含み、前記目矯正アセンブリは、瞳孔を横切って目に約０．１から約０．３ミクロンの負の球面収差を与えるように、目の角膜方向へレーザエネルギーのパターンを向けることにより、目に処方を施すための切除レーザビームを含む、
ことを特徴とする請求項１０記載の装置。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
再生セルロースマトリックス、第一活性物質、リンカーおよび第二活性物質を含み、該リンカーが、該第一および第二活性物質に結合しており、該再生セルロースマトリックスは、イオン液体から該第一活性物質の存在下で再生されており、そして該第一活性物質は、該再生セルロースのマトリックス内に実質的に均一に分布している、セルロース／活性物質複合材。
【請求項２】
前記再生セルロースが、該再生セルロースを調製する出発セルロースと実質的に同じ分子量を有し、該再生セルロースには、該出発セルロースと比較して置換基の増加量が実質的になく、そして該再生セルロースには、捕捉されたイオン液体分解産物が実質的にない、請求項１に記載の複合材。
【請求項３】
前記再生セルロースの前記第一活性物質に対する重量比が、約１０００：１から約１：２である、請求項１に記載の複合材。
【請求項４】
前記リンカーに結合される前の前記第一活性物質が、求核性官能基を含む、請求項１に記載の複合材。
【請求項５】
前記リンカーに結合される前の前記第一活性物質が、高分子アミンを含む、請求項１に記載の複合材。
【請求項６】
前記高分子アミンが、ポリリシン、ポリアミンまたはポリアルキレンイミンを含む、請求項５に記載の複合材。
【請求項７】
前記第一および第二活性物質に結合される前の前記リンカーが、少なくとも２つの求電子性官能基を含む、請求項１に記載の複合材。
【請求項８】
前記第一および第二活性物質に結合される前の前記リンカーが、ジアルデヒドを含む、請求項１に記載の複合材。
【請求項９】
前記第一および第二活性物質に結合される前の前記リンカーが、グルタルアルデヒドを含む、請求項１に記載の複合材。
【請求項１０】
前記再生セルロースの前記第二活性物質に対する重量比が、約１０００：１から約１：２である、請求項１に記載の複合材。
【請求項１１】
前記第二活性物質が、求核性官能基を含む、請求項１に記載の複合材。
【請求項１２】
前記第二活性物質が、生体分子を含む、請求項１に記載の複合材。
【請求項１３】
前記第二活性物質が、ペプチド、タンパク質、酵素または抗体を含む、請求項１に記載の複合材。
【請求項１４】
セルロース／活性物質複合材であって、
ａ．再生セルロースマトリックスと第一活性物質とを含み、該第一活性物質が該再生セルロースマトリックス内に実質的に均一に分布している組成物を提供すること；
ｂ．該第一活性物質をリンカーと接触させて、該リンカーを該第一活性物質に結合させること；および
ｃ．第二活性物質を該リンカーと接触させて、該リンカーを該第二活性物質に結合させること、
を含み、それによってセルロース／活性物質複合材を提供する、セルロース／活性物質複合材の作製方法によって作製される、セルロース／活性物質複合材。
【請求項１５】
請求項１に記載の複合材を含む、物品。
【請求項１６】
紙を含む、請求項１５に記載の物品。
【請求項１７】
布を含む、請求項１５に記載の物品。
【請求項１８】
防護衣を含む、請求項１５に記載の物品。
【請求項１９】
前記衣類が、手術衣、手袋、マスクまたは包帯を含む、請求項１８に記載の物品。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
患者における植込みに好適な検体センサーであって、
酵素を含む電極表面；及び
一酸化窒素生成剤を含む生体適合性検体浸透性組成物
を含み、該組成物がニトロソチオールに接触した場合に一酸化窒素を生成する、センサー。
【請求項２】
前記酵素がオキシダーゼである、請求項１に記載の検体センサー。
【請求項３】
前記組成物が、薬学的に有効な薬剤を更に含む、請求項１に記載の検体センサー。
【請求項４】
前記酵素がグルコースオキシダーゼである、請求項２に記載の検体センサー。
【請求項５】
前記組成物が、植込み後３日間以上にわたって前記センサーの生物付着を実質的に抑制する、請求項１に記載の検体センサー。
【請求項６】
前記センサーが患者の血中グルコースレベルを３日以上にわたって連続して測定することができる、請求項１に記載の検体センサー。
【請求項７】
前記センサーが皮下に植え込むことができる、請求項１に記載の検体センサー。
【請求項８】
前記組成物が前記電極表面に配置されている、請求項１に記載の検体センサー。
【請求項９】
前記検体浸透性組成物が、アスコルベート、ウレート、システイン又はパラセタモールの少なくとも１つを実質的に排除することができる、請求項１に記載の検体センサー。
【請求項１０】
前記検体浸透性組成物が、実質的にグルコース浸透性である、請求項１に記載の検体センサー。
【請求項１１】
前記一酸化窒素生成剤が金属イオン結合部分である、請求項１に記載の検体センサー。
【請求項１２】
前記金属イオン結合部分がＮｘ供与リガンドであり、式中、ｘが２、３、４、５、６、７、８又は９である、請求項１１に記載の検体センサー。
【請求項１３】
前記一酸化窒素生成化合物がＳｙ供与リガンドであり、式中、ｙが２、３、４、５、６、７、８又は９である、請求項１１に記載の医療デバイス。
【請求項１４】
前記一酸化窒素生成剤が、前記金属イオン結合部分、及び酸化還元活性を有する金属イオンを含む金属リガンド錯体である、請求項１１に記載の検体センサー。
【請求項１５】
前記金属リガンド錯体が、金属サイクレン錯体又は金属サイクラム錯体である、請求項１４に記載の検体センサー。
【請求項１６】
前記金属サイクレン錯体が、銅サイクレン錯体又は銅サイクラム錯体である、請求項１５に記載の検体センサー。
【請求項１７】
前記金属リガンド錯体がＮ４供与体型の大環状化合物である、請求項１４に記載の検体センサー。
【請求項１８】
前記一酸化窒素生成剤が、以下の一般化学式Ｉで表され：
【化１】
2009500083.tif 000001
式中：
Ｒ１及びＲ２が、それぞれ独立して、アルキル、アルケニル、アルキニル、Ｈを表すか、或いはＲ１及びＲ２が一緒になってアリール又はヘテロアリールを形成し；
−−−−−が任意の結合次数を有する結合を表し；
Ｍが金属；及びその塩である、請求項１に記載の検体センサー。
【請求項１９】
Ｍが、Ｃａ、Ｃｕ、Ｚｎ、Ｃｏ、Ｍｎ、Ａｌ、Ｆｅ、Ｖ、Ｃｒ及びＴｉからなる群から選択される金属イオンである、請求項１８に記載の検体センサー。
【請求項２０】
前記一酸化窒素生成化合物が、化学式ＩのＣｌ、Ｉ、Ｆ又はＢｒ塩である、請求項１８に記載の検体センサー。
【請求項２１】
ＭがＣｕ（ＩＩ）である、請求項１８に記載の検体センサー。
【請求項２２】
前記一酸化窒素生成剤が、Ｃｕ（ＩＩ）−ジベンゾ［ｅ，ｋ］−２，３，８，９−テトラフェニル−１，４，７，１０−テトラアザ−シクロドデカ−１，３，７，９−テトラエン、Ｃｕ（ＩＩ）ジベンゾ［ｅ，ｋ］−２，３，８，９−テトラメチル−１，４，７，１０−テトラアザ−シクロドデカ−１，３，７，９−テトラエン、又はＣｕ（ＩＩ）ジベンゾ［ｅ，ｋ］−２，３，８，９−テトラエチル−１，４，７，１０−テトラアザ−シクロドデカ−１，３，７，９−テトラエンの少なくとも１つから選択される、請求項１に記載の検体センサー。
【請求項２３】
一酸化窒素生成剤を含む検体センサーに使用する生体適合性膜であって、該検体センサーが３日以上にわたって血中グルコースレベルを連続して測定することができる、生体適合性膜。
【請求項２４】
固定化されたグルコースオキシダーゼを含む第１の層；
該第１の層の上に配置される第２の層
を更に含み、該第２の層が金属リガンド錯体を含む、請求項２３に記載の生体適合性膜。
【請求項２５】
前記膜の厚さが約０．１μｍ〜約１５μｍである、請求項２４に記載の生体適合性膜。
【請求項２６】
酵素を含む電極表面；
検体浸透性組成物；及び
一酸化窒素生成剤を含む生体適合組成物
を含み、前記組成物がニトロソチオールと接触した場合に一酸化窒素を生成する、検体センサー。
【請求項２７】
２日以上にわたって患者の血中グルコースレベルを検出するためのグルコースセンサーであって、
生体適合性の検体浸透性組成物を含み、
該組成物が一酸化窒素生成剤を含む、グルコースセンサー。
【請求項２８】
一酸化窒素生成剤を含むグルコースセンサー；及び
使用説明書
を含む、グルコース検出キット。
【請求項２９】
血中グルコースセンサーへの一酸化窒素生成剤の使用。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
配列番号６に示されるアミノ酸配列を有するＧｌｙ−Ｔβ４、及び配列番号５に示されるアミノ酸配列を有するＡｌａ−Ｔβ４から選択されるサイモシンβ４誘導体。
【請求項２】
請求項１記載のサイモシンβ４誘導体をコードするポリヌクレオチド。
【請求項３】
請求項１記載のサイモシンβ４誘導体及び所望により薬学的に許容される担体を含む、医薬組成物。
【請求項４】
皮膚損傷、心臓障害、角膜損傷、及び／又は冠状動脈性心疾患の治療のための医薬の製造における、請求項１記載のサイモシンβ４誘導体の使用。
【請求項５】
皮膚損傷、心臓障害、角膜損傷、及び／又は冠状動脈性心疾患の治療のために使用される、請求項３記載の医薬組成物。
【請求項６】
ヒトの治療のためのものである、請求項５記載の医薬組成物。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
ＤＮＡライブラリーによりコードされた関心のあるポリペプチドをファージ粒子上にディスプレイする繊維状ファージディスプレイ方法であって、ここで該ＤＮＡライブラリーが、ｃＤＮＡライブラリーまたはペプチドライブラリー、抗体ライブラリーもしくはオルタナティブスカホールドに基づいたライブラリーをコードするコンビナトリアルＤＮＡライブラリーであり、そして該関心のあるポリペプチドをグラム陰性菌の細胞膜を横切って翻訳と同時にトランスロケーションさせる、方法。
【請求項２】
翻訳と同時のトランスロケーションが、シグナル認識粒子経路に基づいて達成される、請求項１に記載の方法。
【請求項３】
ファージ粒子上にディスプレイされるべき関心のあるポリペプチドのトランスロケーションのために使用されるシグナル配列が、ＴｒｘＡの翻訳と同時のトランスロケーションを促進するシグナル配列である、請求項１または２に記載の方法。
【請求項４】
ファージ粒子上にディスプレイされるべき関心のあるポリペプチドのトランスロケーションのために使用されるシグナル配列が、ＴｏｒＴ、ＳｆｍＣ、ＦｏｃＣ、ＣｃｍＨ、ＹｒａＩ、ＴｏｌＢ、ＮｉｋＡ、ＦｌｇＩおよびＤｓｂＡのシグナル配列および該シグナル配列のいずれかとの７０％同一性を有するアミノ酸配列からなる群より選ばれ、そして該アミノ酸配列が、それぞれ、該シグナル配列のｎ領域、ｈ領域およびｃ領域の全体の電荷、疎水性および開裂特性を保存している、請求項１、２または３に記載の方法。
【請求項５】
ファージ粒子上にディスプレイされるべき関心のあるポリペプチドのトランスロケーションのために使用されるシグナル配列が、ＴｏｒＴ、ＳｆｍＣ、ＴｏｌＢおよびＤｓｂＡのシグナル配列からなる群より選ばれる、請求項４に記載の方法。
【請求項６】
ファージ粒子上にディスプレイされるべき関心のあるポリペプチドが、リピートタンパク質である、請求項１〜５のいずれかに記載の方法。
【請求項７】
（ａ）グラム陰性菌の細胞膜を横切る融合ポリペプチドの翻訳と同時のトランスロケーションを促進するＮ末端シグナル配列を有する融合ポリペプチドのための発現カセットを含有する繊維状ファージもしくはファージミドベクターを構築する工程；
（ｂ）関心のあるポリペプチドをコードするＤＮＡライブラリーを工程（ａ）のベクターの発現カセットにクローニングすることによりファージまたはファージミドベクターのコンビナトリアルライブラリーを構築する工程；
（ｃ）工程（ｂ）のベクターのライブラリーにより適当なグラム陰性菌をトランスフォーメーションする工程；および
（ｄ）ファージディスプレイ選択サイクルを行って、ディスプレイされた関心のあるポリペプチドの性質に基づいてファージ粒子を分離する工程、
を含む、請求項１〜６のいずれかに記載の方法。
【請求項８】
ファージ粒子上にディスプレイされた関心のあるポリペプチドを、ＴｏｒＴ、ＳｆｍＣ、ＦｏｃＣ、ＣｃｍＨ、ＹｒａＩ、ＴｏｌＢ、ＮｉｋＡ、ＦｌｇＩおよびＤｓｂＡのシグナル配列および該シグナル配列のいずれかとの７０％同一性を有するアミノ酸配列からなる群より選ばれるシグナル配列を使用して、グラム陰性菌の細胞膜を横切って翻訳と同時にトランスロケーションさせ、ここで該アミノ酸配列が、それぞれ、該シグナル配列のｎ領域、ｈ領域およびｃ領域の全体の電荷、疎水性および開裂特性を保存している、繊維状ファージディスプレイ方法。
【請求項９】
シグナル配列が、ＴｏｒＴ、ＳｆｍＣ、ＴｏｌＢおよびＤｓｂＡのシグナル配列からなる群より選ばれる、請求項８に記載の方法。
【請求項１０】
ファージ粒子上にディスプレイされるべき関心のあるポリペプチド、およびＴｏｒＴ、ＳｆｍＣ、ＦｏｃＣ、ＣｃｍＨ、ＹｒａＩ、ＴｏｌＢ、ＮｉｋＡ、ＦｌｇＩおよびＤｓｂＡのシグナル配列および該シグナル配列のいずれかとの７０％同一性を有するアミノ酸配列からなる群より選ばれるシグナル配列を含む融合タンパク質をコードする遺伝子構築物を含み、ここで該アミノ酸配列が、それぞれ、該シグナル配列のｎ領域、ｈ領域およびｃ領域の全体の電荷、疎水性および開裂特性を保存しているファージまたはファージミドベクター。
【請求項１１】
シグナル配列が、ＴｏｒＴ、ＳｆｍＣ、ＴｏｌＢおよびＤｓｂＡのシグナル配列からなる群より選ばれる、請求項１０に記載のベクター。
【請求項１２】
融合タンパク質をコードする遺伝子構築物を含むファージまたはファージミドベクターのライブラリーであって、融合タンパク質の各々が、ＴｒｘＡの翻訳と同時のトランスロケーションを促進するシグナル配列およびファージ粒子上にディスプレイされるべき関心のあるポリペプチドを含み、関心のあるポリペプチドの各々が、ＤＮＡライブラリーのメンバーによりコードされており、該ＤＮＡライブラリーが、ｃＤＮＡライブラリーまたはペプチドライブラリー、抗体ライブラリーもしくはオルタナティブスカホールドに基づいたライブラリーをコードするコンビナトリアルＤＮＡライブラリーである、ライブラリー。
【請求項１３】
シグナル配列が、ＴｏｒＴ、ＳｆｍＣ、ＦｏｃＣ、ＣｃｍＨ、ＹｒａＩ、ＴｏｌＢ、ＮｉｋＡ、ＦｌｇＩおよびＤｓｂＡのシグナル配列および該シグナル配列のいずれかとの７０％同一性を有するアミノ酸配列からなる群より選ばれ、そして該アミノ酸配列が、それぞれ、該シグナル配列のｎ領域、ｈ領域およびｃ領域の全体の電荷、疎水性および開裂特性を保存している、請求項１２に記載のベクターのライブラリー。
【請求項１４】
シグナル配列が、ＴｏｒＴ、ＳｆｍＣ、ＴｏｌＢおよびＤｓｂＡのシグナル配列からなる群より選ばれる、請求項１２に記載のベクターのライブラリー。
【請求項１５】
関心のあるポリペプチドをコードするＤＮＡライブラリーが、リピートタンパク質をコードするＤＮＡライブラリーである、請求項１２〜１４のいずれかに記載のベクターのライブラリー。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
a) 飽和脂肪とLC-PUFAを少なくとも1種含む微生物油とを含む油と、少なくとも1種の乳化剤を混合して、混合物を形成する段階；および
b) 混合物を凝固させ固形脂肪組成物を形成する段階
を含む、固形脂肪組成物を製造する方法。
【請求項２】
油が約5重量％〜約70重量％のLC-PUFAおよび約20重量％〜約60重量％の飽和脂肪を含む、請求項1記載の方法。
【請求項３】
油を混合段階の前に加熱する、請求項2記載の方法。
【請求項４】
油を少なくとも約40℃まで加熱する、請求項2記載の方法。
【請求項５】
乳化剤を少なくとも約40℃まで加熱する、請求項1記載の方法。
【請求項６】
混合段階が混合物を撹拌する段階を含む、請求項1記載の方法。
【請求項７】
混合物を凝固させる段階が混合物を冷却する段階を含む、請求項1記載の方法。
【請求項８】
凝固段階が冷却段階中に混合物を混合する段階をさらに含む、請求項7記載の方法。
【請求項９】
混合物を約1℃/分〜約20℃/分の速度で冷却する、請求項7記載の方法。
【請求項１０】
凝固段階が混合物中に窒素を導入する段階を含む、請求項1記載の方法。
【請求項１１】
微生物油が脱ろうされていない、請求項1記載の方法。
【請求項１２】
LC-PUFAを含む脱ろうされていない微生物油と乳化剤の混合物であって、室温で固体組成物である混合物を含む固形脂肪組成物。
【請求項１３】
油が飽和脂肪を含む、請求項12記載の固形脂肪組成物。
【請求項１４】
油を水素化しない、請求項1記載の方法または請求項12記載の固形脂肪組成物。
【請求項１５】
微生物油が、ヤブレツボカビ属の微生物、シゾキトリウム属の微生物、アルソルニア属の微生物、アプラノキトリウム属の微生物、ジャポノキトリウム属の微生物、エリナ属の微生物、クリプテコディニウム属の微生物、およびそれらの混合物からなる群より選択される微生物に由来する、請求項1記載の方法または請求項12記載の固形脂肪組成物。
【請求項１６】
油が少なくとも約50重量パーセントのドコサヘキサエン酸を含む、請求項1記載の方法または請求項12記載の固形脂肪組成物。
【請求項１７】
LC-PUFAが、ドコサペンタエン酸、アラキドン酸、およびエイコサペンタエン酸からなる群より選択される酸を含む、請求項1記載の方法または請求項12記載の固形脂肪組成物。
【請求項１８】
固形脂肪組成物が均一な構造を有する、請求項1記載の方法または請求項12記載の固形脂肪組成物。
【請求項１９】
乳化剤が、モノグリセリド、ジグリセリド、モノ/ジグリセリドの組み合わせ、レシチン、乳酸(lactylated)モノ-ジグリセリド、ポリグリセロールエステル、ショ糖脂肪酸エステル、ステロイル乳酸ナトリウム、ステロイル乳酸カルシウム、およびそれらの組み合わせからなる群より選択される、請求項1記載の方法または請求項12記載の固形脂肪組成物。
【請求項２０】
乳化剤が約0.01重量パーセント〜約2.0重量パーセントの量で存在する、請求項1記載の方法または請求項12記載の固形脂肪組成物。
【請求項２１】
乳化剤が約0.05重量パーセント〜約0.2重量パーセントの量で存在する、請求項1記載の方法または請求項12記載の固形脂肪組成物。
【請求項２２】
固形脂肪組成物が少なくとも約20℃の融解温度を有する、請求項1記載の方法または請求項12記載の固形脂肪組成物。
【請求項２３】
固形脂肪組成物が少なくとも約35℃の融解温度を有する、請求項1記載の方法または請求項12記載の固形脂肪組成物。
【請求項２４】
固形脂肪組成物が結晶を含む、請求項1記載の方法または請求項12記載の固形脂肪組成物。
【請求項２５】
結晶がβ-プライム結晶を含む、請求項24記載の方法または組成物。
【請求項２６】
固形脂肪組成物中の脂肪および/または油の少なくとも約80重量％がβ-プライム結晶型である、請求項25記載の方法または組成物。
【請求項２７】
少なくとも1つの付加的な成分の混合物への添加をさらに含み、付加的な成分が、抗酸化剤、香味料、香味増強剤、甘味料、色素、ビタミン、ミネラル、プレバイオティクス化合物、プロバイオティクス化合物、治療用成分、薬効成分、機能性食品成分、加工成分、およびそれらの組み合わせからなる群より選択される、請求項1記載の方法または請求項12記載の固形脂肪組成物。
【請求項２８】
水溶性液体を約1重量％〜約10重量％の量で添加する、請求項27記載の方法または組成物。
【請求項２９】
アスコルビン酸またはアスコルビン酸の塩を約0.5重量％〜約5重量％の量で添加する、請求項27記載の方法または組成物。
【請求項３０】
抗酸化剤が、パルミチン酸アスコルビル、トコフェロール、クエン酸、アスコルビン酸、第3ブチルヒドロキノン、ローズマリー抽出物、レシチン、およびこれらの混合物からなる群より選択される、請求項27記載の方法または組成物。
【請求項３１】
固形脂肪組成物が少なくとも約20のOSI値を有する、請求項1記載の方法または請求項12記載の固形脂肪組成物。
【請求項３２】
固形脂肪組成物が少なくとも約60のOSI値を有する、請求項1記載の方法または請求項12記載の固形脂肪組成物。
【請求項３３】
固形脂肪組成物が、食品、栄養製品、および薬学的製品からなる群より選択される、請求項1記載の方法または請求項12記載の固形脂肪組成物。
【請求項３４】
固形脂肪組成物を、食品、栄養製品、および薬学的製品からなる群より選択される製品に添加する段階をさらに含む、請求項1記載の方法または請求項12記載の固形脂肪組成物。
【請求項３５】
a) 約5重量％〜約70重量％のLC-PUFAおよび約20重量％〜約60重量％の飽和脂肪を含む脱ろうされていない微生物油；ならびに
b) 約0.01重量％〜約2.0重量％の乳化剤
を含む脂肪組成物であって、約10重量％未満の水を含み、かつ室温で固体組成物である、脂肪組成物。
【請求項３６】
a) 微生物バイオマスから、少なくとも1種のLC-PUFAおよび少なくとも油含有画分に視覚的に影響するのに十分である飽和脂肪酸を含む油含有画分を抽出する段階；ならびに
b) LC-PUFAを少なくとも1種含む油産物を産生するために真空蒸発により油含有画分を処理する段階
を含む、摂取用に用いられる油産物であって、脱ろう段階に供していない油産物を調製する方法。
【請求項３７】
微生物粗製油を油産物と固形脂肪産物に分画する段階を含み、固形脂肪産物が少なくとも約20重量％のLC PUFA含量を有する、LC PUFA含有液体油画分およびLC PUFA含有固形脂肪産物を生成する方法。
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
翻訳系により、in vitroでタンパク質を合成するための方法において、タンパク質合成を、リボソーム因子ＬｅｐＡの存在下で実施することを特徴とする、翻訳系により、in vitroでタンパク質を合成するための方法。
【請求項２】
翻訳系が、（ａ）タンパク質をコードする翻訳可能なＲＮＡ;および（ｂ）細胞翻訳装置の成分を含む細胞不含の調製物を含み、特に、その際、翻訳系が、原核細胞系である、請求項１に記載の方法。
【請求項３】
細胞不含の調製物が細胞エクストラクト、例えば原核細胞、特にＥ．Ｃｏｌｉ細胞由来のエクストラクト、又は細胞不含の調製物が細胞ライセートである、請求項１又は２に記載の方法。
【請求項４】
系が、結合した転写／翻訳系であり、特に、その際、転写／翻訳系が、（ａ１）発現制御配列に対して操作的に結合された合成すべきタンパク質をコードする核酸；（ａ２）核酸から翻訳可能なＲＮＡを製造する能力を有するポリメラーゼおよび（ｂ）細胞翻訳装置の成分を含有する細胞不含の調整物を含む、請求項１又は２に記載の方法。
【請求項５】
発現制御配列が、異種プロモーター、たとえばＴ７または関連するプロモーターであり、かつ、ポリメラーゼが異種ポリメラーゼ、たとえばＴ７  ＲＮＡポリメラーゼまたは関連するＲＮＡポリメラーゼであるか、あるいは、発現制御配列が、固有の細胞性プロモーターであり、かつ、ポリメラーゼが、固有の細胞ＤＮＡ−依存型ポリメラーゼである、請求項４に記載の方法。
【請求項６】
合成を、原核細胞ＬｅｐＡの存在下で実施し、特に、その際、ＬｅｐＡが、Ｅ．Ｃｏｌｉ由来である、請求項１から５までのいずれか１項に記載の方法。
【請求項７】
ＬｅｐＡが、系中に存在する７０Ｓリボソームサブユニットに対して、約０．０５：１〜約０．６：１のモル比で存在する、請求項１から６までのいずれか１項に記載の方法。
【請求項８】
添加されたリボソーム因子ＬｅｐＡを含み、その際、特に、系が、（ａ）発現制御配列に対して操作的に結合した合成すべきタンパク質をコードする翻訳可能なＲＮＡ；（ｂ）細胞翻訳装置の成分を含む細胞不含の調製物、および（ｃ）添加されたリボソーム因子ＬｅｐＡを含有し、その際、特に、系が、結合した転写／翻訳系である、ｉｎ vitro翻訳系。
【請求項９】
添加されたリボソーム因子ＬｅｐＡを含む、タンパク質のin vitro合成のための試薬組成物またはキット。
【請求項１０】
タンパク質合成の精度を高めるための、特に、in vitro系における、特に、in vitroの結合した転写／翻訳系における、リボソーム因子ＬｅｐＡの使用。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
ヘアコンディショナー耐性の毛髪結合ペプチドを同定するための方法であって、
ａ）ＤＮＡ結合型ペプチドのコンビナトリアルライブラリを提供すること、
ｂ）（ａ）のライブラリを毛髪サンプルと接触させること（ここで、毛髪が、ＤＮＡ結合型ペプチドと複合体を形成して、ＤＮＡ結合型ペプチド−毛髪複合体を含んでなる反応溶液が形成される）、
ｃ）（ｂ）のＤＮＡ結合型ペプチド−毛髪複合体を反応溶液から単離すること、
ｄ）（ｃ）の単離されたＤＮＡ結合型ペプチド−毛髪複合体を、濃度が最大濃度の少なくとも１０％であるヘアコンディショナーマトリックスと接触させて、コンディショニング液を形成させること、
ｅ）（ｄ）のＤＮＡ結合型ペプチド−毛髪複合体をコンディショニング液から単離すること、
ｆ）（ｅ）のＤＮＡ結合型ペプチド−毛髪複合体のペプチド部分をコードするＤＮＡを増幅させること、および
ｇ）コンディショナー耐性の毛髪結合ペプチドをコードする（ｆ）の増幅されたＤＮＡを配列決定すること（ここで、コンディショナー耐性の毛髪結合ペプチドが同定される）を含んでなる方法。
【請求項２】
配列番号１、配列番号２、配列番号３、配列番号４、および配列番号５よりなる群から選択されるヘアコンディショナー耐性の毛髪結合ペプチド。